(57)【特許請求の範囲】
【請求項１】
印刷動作を行うレディモードと印刷動作を行わずに消費電力を減少するスリープモードとの間を遷移する画像形成装置であって、
記録媒体にインクを吐出するインクジェット型プリントヘッドと、前記レディモードにおいて前記プリントヘッドにインクを供給しこのインクを前記プリントヘッドから回収するインク循環経路と、このインク循環経路に配設された前記インクの温度を調整するインク温度調整部と、を有する印刷手段と、
印刷ジョブを記憶する記憶部と、
前記印刷ジョブの印刷を、前記印刷手段を用いて行う制御手段と、
を備え、
前記制御手段は、
前記印刷ジョブの印刷のときに低温ミストの発生がし難いかし易いか又は低温ミストの発生が記録媒体に目立たないか目立つかを判定する判定手段を備え、
前記判定手段において前記低温ミストの発生がし易い又は目立つと判定された前記印刷ジョブの印刷を、前記スリープモードに遷移する前に行い、
前記判定手段において前記低温ミストの発生がし難い又は目立たないと判定された前記印刷ジョブを前記記憶部に格納し、この格納された前記印刷ジョブの印刷を、前記スリープモードから復帰した後に、前記インク温度調整部を稼働させずに行う
ことを特徴とする画像形成装置。
【請求項２】
前記判定手段は、印刷ジョブに含まれる、印刷頁数、印刷部数或いは画像率の情報、又は記録媒体の端部に印刷される画像の有無の情報に基づき、前記低温ミストが発生し難いかし易いか又は低温ミストの発生が目立たないか目立つかを判定することを特徴とする請求項１に記載の画像形成装置。
【請求項３】
印刷動作を行うレディモードと印刷動作を行わずに消費電力を減少するスリープモードとの間を遷移する画像形成装置であって、
記録媒体にインクを吐出するインクジェット型プリントヘッドと、前記レディモードにおいて前記プリントヘッドにインクを供給しこのインクを前記プリントヘッドから回収するインク循環経路と、このインク循環経路に配設された前記インクの温度を調整するインク温度調整部とを有する印刷手段と、
印刷ジョブを記憶する記憶部と、
前記印刷ジョブの印刷を、前記印刷手段を用いて行う制御手段と、
を備え、
前記インク循環経路は、前記プリントヘッドに前記インクを供給するためのインク供給経路と、前記プリントヘッドからインクタンクに前記インクを回収するためのインク回収経路と、前記インク供給経路と前記インク回収経路とを連結するインク循環迂回経路とを有しており、
前記印刷手段は、
前記インク回収経路と前記インクタンクと前記インク供給経路と前記インク温度調整部とを有する第１のインク循環ユニットと、
前記インク回収経路と前記インク循環迂回経路と前記インク供給経路と前記インク温度調整部とを有する第２のインク循環ユニットとを有し、
前記制御手段は、
前記印刷ジョブの印刷のときのインク使用量が少ないか多いかを判定する判定手段を更に備え、
前記判定手段において前記インク使用量が多いと判定された前記印刷ジョブの印刷を前記スリープモードに遷移する前に前記印刷手段の前記第１のインク循環ユニットを循環するインクを用いて行い、
前記判定手段において前記インク使用量が少ないと判定された前記印刷ジョブを前記記憶部に格納し、この格納された前記印刷ジョブの印刷を前記スリープモードから復帰した後に前記印刷手段の前記第２のインク循環ユニットを循環するインクを用いて行う
ことを特徴とする画像形成装置。
【請求項４】
前記判定手段は、印刷ジョブに含まれる、印刷頁数、印刷部数、画像率又は用紙種類の情報に基づき、前記インク使用量が少ないか多いかを判定することを特徴とする請求項３に記載の画像形成装置。
【発明の詳細な説明】
【技術分野】
【０００１】
本発明は、画像形成装置に関し、特に印刷動作を行うレディモードと印刷動作を行わずに消費電力を減少するスリープモードとの間を遷移する画像形成装置に関する。
【背景技術】
【０００２】
家庭内やオフィス内において、パーソナルコンピュータ等の外部端末にプリンタが接続され、ローカルエリアネットワーク（ＬＡＮ：local area network）が構築されている。ＬＡＮにおいては、複数の外部端末に対して１台のプリンタを共有し使用することができるので、プリンタを有効に活用することができる。また、単に印刷機能だけを備えたプリンタだけにとどまらず、最近ではファクシミリ機能やスキャナ機能を併せ持つ複合型のプリンタが使用されている。
【０００３】
家庭内やオフィスに設置されるプリンタにはインクジェットプリンタが多く採用されている。インクジェットプリンタにおいては、高速印刷が可能でありかつランニングコストが安く、モノクロ印刷やカラー印刷を多量に行うことができる特徴がある。
【０００４】
ＬＡＮにおいて、複数の外部端末のいずれかから印刷ジョブが送信され、この印刷ジョブがプリンタにおいて受信されると、プリンタはこの受信された印刷ジョブに従い印刷動作を実行する。プリンタにおいて、この印刷動作を実行する状態とは、主にコントローラ、パネル、用紙供給ユニット、搬送ユニット、インク循環ユニット等の大半の各部ユニットに電源が供給されるレディモードである。
【０００５】
ここで、インク循環ユニットは、プリントヘッドに常時インクを循環させ、このインクの循環経路中にインク温度調整部を備えている。インク温度調整部は循環されるインクの温度範囲を印刷品質が保証される一定の範囲内に調整することができるので、良好な印刷結果を得ることができる。
【０００６】
プリンタが常時レディモードに設定されていると、プリンタの消費電力は大幅に増大する。そこで、印刷ジョブが一定時間受信されない場合、プリンタをスリープモード（省電力待機状態）に遷移させることによってプリンタの消費電力を減少する技術が知られている。スリープモードは電源が切られていない状態であって無印刷動作状態であり、コントローラ等の大半の各部ユニットには電源が供給されていない。複数の外部端末とプリンタとによって構築されるＬＡＮにおいて、プリンタは、何時、どの外部端末から印刷ジョブを受信するかわからないので、スリープモードの機能を有するプリンタは消費電力の軽減に有効である。
【先行技術文献】
【特許文献】
【０００７】
【特許文献１】特開２００８−２３８０６号公報
【発明の概要】
【発明が解決しようとする課題】
【０００８】
しかしながら、前述のインクジェットプリンタにおいては、以下の点について配慮がなされていなかった。
【０００９】
インク循環ユニットに循環されるインクは低温になると粘度が増大する特性を有する。インクジェットプリンタの電源投入時やスリープモードからの復帰時には、インク温度が低くなっているので、上記特許文献１に記載されるように、プリントヘッド内のインクの吐出を行う圧電素子を利用し、プリントヘッド内のインク温度を高めることによって良好な印刷結果を得ることができる。プリントヘッド内に貯溜されているインク量は少量であるために、薄紙、普通紙等の記録用紙の印刷、又は印刷頁や印刷部数が少ない印刷にはインク使用量が少ないので有効である。ところが、マット紙、高品質紙等の記録媒体の印刷、又は印刷頁や印刷部数が多い印刷にはインク使用量が多くなるので、プリントヘッド内に貯溜されているインクでは足りず、インク循環ユニットを稼働する必要がある。インク循環ユニットにおいては、インクを循環させるインク循環ポンプの稼働、インク温度を高めるインク温度調整部の稼働等を行うので、インクジェットプリンタの消費電力は増大する。更に、印刷品質を保証する適正な温度までインク温度が高まるまでに時間を要するので、印刷開始時間が長くなる。インクジェットプリンタの印刷ジョブリストに印刷ジョブが格納されている状態において、印刷ジョブの種類、具体的には記録用紙の種類、印刷頁、印刷部数、印刷品質等に関係なく、インク循環ユニットを稼働し印刷動作を実行すれば、循環される多量のインクに必要以上の温調を行い、消費電力が無駄に増大する。これに加えて、循環されるインク全体を一定の温度まで高めるために長時間を要するので、印刷開始時間が長くなる。
【００１０】
本発明は上記課題を解決するためになされたものである。従って、本発明は、消費電力を減少しつつ、印刷開始時間を短縮することができる画像形成装置を提供することにある。
【課題を解決するための手段】
【００１１】
上記課題を解決するために、本発明に係る第１の特徴は、印刷動作を行うレディモードと印刷動作を行わずに消費電力を減少するスリープモードとの間を遷移する画像形成装置において、記録媒体にインクを吐出するインクジェット型プリントヘッドと、レディモードにおいてプリントヘッドにインクを供給しこのインクをプリントヘッドから回収するインク循環経路を有し、このインク循環経路に配設されたインクの温度を調整するインク温度調整部を有する第１のインク循環ユニットとを有する印刷手段と、印刷ジョブを記憶する記憶部と、印刷ジョブの情報に基づきインク循環ユニットの稼働を要するとき、スリープモードに遷移する前に印刷ジョブの印刷を印刷手段を用いて行い、印刷ジョブの情報に基づきインク循環ユニットの稼働を要しないとき、印刷ジョブを記憶部に格納し、スリープモードから復帰した後に格納された印刷ジョブの印刷を印刷手段を用いて行う制御手段とを備える。
【００１２】
本発明の第２の特徴は、第１の特徴に係る画像形成装置において、制御手段は、印刷ジョブの印刷のときに低温ミストの発生がし難いかし易いか又は低温ミストの発生が目立たないか目立つかを判定する第１の判定手段を備え、第１の判定手段において低温ミストの発生がし易い又は目立つと判定された印刷ジョブの印刷をスリープモードに遷移する前に印刷手段を用いて行い、第１の判定手段において低温ミストの発生がし難い又は目立たないと判定された印刷ジョブを記憶部に格納し、この格納された印刷ジョブの印刷をスリープモードから復帰した後に印刷手段を用いて行うことである。
【００１３】
本発明の第３の特徴は、第２の特徴に係る画像形成装置において、第１の判定手段は、印刷ジョブに含まれる、印刷頁数、印刷部数或いは画像率の情報、又は記録媒体の端部に印刷される画像の有無の情報に基づき、低温ミストが発生し難いかし易いか又は低温ミストの発生が目立たないか目立つかを判定することである。
【００１４】
本発明の第４の特徴は、第１の特徴に係る画像形成装置において、印刷手段に配設され、インク循環経路のインクの回収側から供給側に、インク循環経路に配設されプリントヘッドにインクを供給しプリントヘッドからインクを回収するインクタンクを通さずインク温度調整部を通して連結されたインク循環迂回経路を有する第２のインク循環ユニットと、制御手段に配設され、印刷ジョブの印刷のときのインク使用量が少ないか多いかを判定する第２の判定手段とを更に備え、制御手段は、第２の判定手段においてインク使用量が多いと判定された印刷ジョブの印刷をスリープモードに遷移する前に印刷手段の第１のインク循環ユニットに循環されるインクを用いて行い、第２の判定手段においてインク使用量が少ないと判定された印刷ジョブを記憶部に格納し、この格納された印刷ジョブの印刷をスリープモードから復帰した後に印刷手段の第２のインク循環ユニットに循環されるインクを用いて行うことである。
【００１５】
本発明の第５の特徴は、第４の特徴に係る画像形成装置において、第２の判定手段は、印刷ジョブに含まれる、印刷頁数、印刷部数、画像率又は用紙種類の情報に基づき、インク使用量が少ないか多いかを判定することである。
【発明の効果】
【００１６】
本発明の第１の特徴に係る画像形成装置によれば、第１のインク循環ユニットの稼働を要する印刷ジョブにおいては制御手段を用いてスリープモードに遷移する前に印刷を行い、第１のインク循環ユニットの稼働を要しない印刷ジョブにおいては制御手段を用いてスリープモードの復帰後に印刷を行うことができる。従って、スリープモードの復帰後において、第１のインク循環ユニットを稼働してインクの温度調整をすることなく、かつインクの温度調整に要する時間を経過することなくスリープモードに遷移する前に記憶部に格納された印刷ジョブの印刷を行えるので、この印刷ジョブの印刷においては第１のインク循環ユニットの稼働に要する消費電力を低減することができ、かつ印刷時間を短縮することができる。
【００１７】
本発明の第２の特徴に係る画像形成装置によれば、低温ミストが発生し易い又は目立つ印刷ジョブにおいては制御手段を用いてスリープモードに遷移する前に印刷を行い、低温ミストが発生し難い又は目立たない印刷ジョブにおいては制御手段を用いてスリープモードの復帰後に印刷を行うことができる。従って、低温ミストが発生し易い又は目立つ印刷ジョブにおいては、スリープモードに遷移する前の第１のインク循環ユニットが稼働中であって低温ミストが発生し難い又は目立たないインク適温状態において印刷を終えることができる。一方、低温ミストが発生し難い又は目立たない印刷ジョブにおいては、第１のインク循環ユニットを稼働してインクの温度調整をすることなく、かつインクの温度調整に要する時間を経過することなくスリープモードの復帰後に印刷を行うことができるので、この印刷ジョブの印刷においては第１のインク循環ユニットの稼働に要する消費電力を低減することができ、かつ印刷時間を短縮することができる。
【００１８】
本発明の第３の特徴に係る画像形成装置によれば、第１の判定手段において印刷ジョブに含まれる情報に基づき低温ミストが発生し難いかし易いか又は低温ミストが目立たないか目立つかを判定することができ、この判定結果に基づき消費電力を低減しつつ、印刷時間を短縮することができる。
【００１９】
本発明の第４の特徴に係る画像形成装置によれば、インク使用量が多い印刷ジョブにおいては制御手段を用いてスリープモードに遷移する前に印刷を行い、インク使用量が少ない印刷ジョブにおいては制御手段を用いてスリープモードの復帰後に印刷を行うことができる。従って、インク使用量が多い印刷ジョブにおいては、スリープモードに遷移する前の第１のインク循環ユニットが稼働中であって第１のインク循環ユニットに循環されるインクの大半が適温状態において印刷を終えることができる。一方、インク使用量が少ない印刷ジョブにおいては、第１のインク循環ユニットを稼働して第１のインク循環ユニットに循環される大半のインクの温度調整をすることなく、かつインクの温度調整に要する時間を経過することなく、第２のインク循環ユニットを循環する少量のインクを短時間に適温に調整するだけで、スリープモードに遷移する前に格納された印刷ジョブの印刷を行うことができ、この印刷ジョブの印刷においては第２のインク循環ユニットの稼働に要する消費電力を低減することができ、かつ印刷時間を短縮することができる。
【００２０】
本発明の第５の特徴に係る画像形成装置によれば、第２の判定手段において印刷ジョブに含まれる情報に基づきインク使用量が多いか少ないかを判定することができ、この判定結果に基づき消費電力を低減しつつ、印刷時間を短縮することができる。
【図面の簡単な説明】
【００２１】
【図１】本発明の実施例１に係る画像形成装置及びそれを組み込んだ画像形成システムの概略構成図である。
【図２】（Ａ）は実施例１に係る画像形成装置において画像率が少ない印刷状態を示す記録媒体の平面図、（Ｂ）は画像率が多い印刷状態を示す記録媒体の平面図である。
【図３】（Ａ）は実施例１に係る画像形成装置において用紙端部に画像がない印刷状態を示す記録媒体の平面図、（Ｂ）は用紙端部に画像がある印刷状態を示す記録媒体の平面図である。
【図４】実施例１に係る画像形成装置の具体的な構成図である。
【図５】実施例１に係る画像形成装置のインク循環ユニットの構成図である。
【図６】実施例１に係る画像形成装置の印刷動作の制御方法を説明するフローチャートである。
【図７】実施例１に係る画像形成装置の印刷動作の制御に使用される印刷ジョブリストを示す図である。
【図８】本発明の実施例２に係る画像形成装置のインク循環ユニットの構成図である。
【図９】実施例２に係る画像形成装置の印刷動作の制御方法を説明するフローチャートである。
【図１０】本発明の実施例３に係る画像形成装置及びそれを組み込んだ画像形成システムの概略構成図である。
【図１１】実施例３に係る画像形成装置のインク温調方法を説明するフローチャートである。
【図１２】本発明の実施例４に係る画像形成装置及びそれを組み込んだ画像形成システムの概略構成図である。
【図１３】実施例４に係る画像形成装置の記録媒体の変更の表示方法を説明するフローチャートである。
【図１４】（Ａ）は実施例４に係る画像形成装置の操作パネルの用紙サイズ設定画面を示す図、（Ｂ）は操作パネルの用紙種類設定画面を示す図である。
【発明を実施するための形態】
【００２２】
次に、図面を参照して、本発明の実施例を説明する。以下の図面の記載において、同一又は類似の部分には同一又は類似の符号を付している。但し、図面は模式的なものであり、現実のものとは異なる。
【００２３】
また、以下に示す実施例はこの発明の技術的思想を具体化するための装置や方法を例示するものであって、この発明の技術的思想は各構成部品の配置等を下記のものに特定するものでない。この発明の技術的思想は、特許請求の範囲において、種々の変更を加えることができる。
【００２４】
（実施例１）
本発明の実施例１は、画像形成装置としてインク循環システムを採用する複合型インクジェットプリンタを用い、この画像形成装置がＬＡＮを通じて複数の外部端末に接続される画像形成システムに本発明を適用した例を説明するものである。なお、画像形成装置をこの複合型インクジェットプリンタに限定するものではなく、非複合型インクジェットプリンタに本発明を適用することができる。
【００２５】
［画像形成システムの構成］
図１に示すように、実施例１に係る画像形成システム１は、画像形成装置１０及び外部端末８を備え、これら画像形成装置１０及び外部端末８を通信経路９によって接続している。画像形成装置１０はここではインク循環システムを有する複合型カラーインクジェットプリンタである。外部端末８は複数の外部端末８１、８２、８３、…を有し、これらには少なくともデスクトップ型パーソナルコンピュータ、ノート型パーソナルコンピュータ、携帯情報端末（ＰＤＡ：personal digital assistance）等が含まれる。外部端末８は、画像情報を作成し、又は画像情報を保持し（記憶し）、この画像情報を印刷情報に変換して印刷ジョブを生成する。外部端末８はこの印刷ジョブを画像形成装置１０に送信可能な機能を少なくとも有する。
【００２６】
通信経路９は、例えばオフィス内、複数のオフィス間、オフィスと家庭との間、オフィスと外出先との間等において、外部端末８と画像形成装置１０との間を接続するデータ転送経路である。この通信経路９には、有線ＬＡＮ、無線ＬＡＮ、インターネット、電話回線、光ケーブル、ＵＳＢ（universal serial bus）ケーブル、ＳＣＳＩ（small computer system interface）規格に基づく例えばＩＥＥＥ１３９４ケーブル等の少なくともいずれか１つのデータ転送経路が含まれる。
【００２７】
画像形成装置１０は複数の外部端末８１、８２、８３、…に共用され使用される。ここでは１つの画像形成装置１０を例示しているが、画像形成装置１０は１台に限定されるものではなく、複数の外部端末８１等に対して２台以上の画像形成装置１０が共用されてもよい。
【００２８】
［外部端末の構成］
実施例１に係る外部端末８は、図示していない中央演算処理ユニット（ＣＰＵ）、記憶装置、入力装置（例えば、キーボード、マウス等）、表示装置（例えば、液晶表示モニタ等）、プリンタドライバ、通信処理部等の基本的構成を備えている。中央演算処理ユニットは、外部端末８の大半の制御を司り、又記憶装置に格納されたプログラムに基づき演算処理を実行する。この外部端末８においては、アプリケーションソフトウエアを用いて、文章、図面、記号、写真等の画像情報を生成することができ、又外部から画像情報を取り込むことができ、又外部に画像情報を送信することができる。
【００２９】
プリンタドライバを用いて画像情報から生成された印刷ジョブは、外部端末８から通信経路９を通じて画像形成装置１０に送信される。
【００３０】
［画像形成装置の構成］
図１に示すように、実施例１に係る画像形成装置１０は、印刷動作を行うレディモードと印刷動作を行わずに消費電力を減少するスリープモードとの間を遷移する機能を備えている。この画像形成装置１０は、主電源スイッチ１８１と、電源ユニット１８２と、通信処理部１３０と、パネルユニット１３１と、制御部（コントローラ）６と、記憶部１６と、印刷エンジン１７０と、スキャナユニット１５１及びファクシミリユニット１５２とを備えている。印刷エンジン１７０は、給紙トレイユニット１００と、搬送ユニット３と、インク循環ユニット７とを備えている。ここで、制御部６は本発明の請求項に係る印刷手段である。
【００３１】
更に、実施例１に係る画像形成装置１０は、印刷ジョブの情報に基づきスリープモード復帰直後からインク循環ユニット（第１のインク循環ユニット）７の稼働を要するとき、スリープモードに遷移する前のレディモードにおいて印刷ジョブの印刷を行うスリープモード前印刷手段６１と、印刷ジョブの情報に基づきスリープモード復帰直後からインク循環ユニット７の稼働を要しないとき、印刷ジョブを格納し、スリープモードから復帰した後にスリープモードに遷移する前に格納された印刷ジョブの印刷を行うスリープモード後印刷手段６２とを備える。
【００３２】
画像形成装置１０の主電源スイッチ１８１には商用電源が接続され、この主電源スイッチ１８１は画像形成装置１０の全体の電源のＯＮ、ＯＦＦを行うスイッチである。詳細には、主電源スイッチ１８１は、画像形成装置１０をＯＦＦ状態からスタンバイモードに遷移し、又ＯＦＦ状態以外（例えばスタンバイモード、スリープモード、レディモード等）からＯＦＦ状態に遷移するためのスイッチである。電源ユニット１８２は、主電源スイッチ１８１を通して供給される電源の調節を行い、この調節された電源を通信処理部１３０、パネルユニット１３１、制御部６、記憶部１６、印刷エンジン１７０、スキャナユニット１５１、ファクシミリユニット１５２の各ユニットに供給する。
【００３３】
ここで、実施例１において、ＯＦＦ状態とは、主電源スイッチ１８１がＯＦＦの状態であって、各ユニットのすべてに電力が供給されていない状態である。スタンバイモードとは、主電源スイッチ１８１をＯＦＦからＯＮに操作した状態であって、電源ユニット１８２及びパネルユニット１３１にのみ電力が供給される状態である。また、スタンバイモードにおいては、パネルユニット１３１の表示部の表示はＯＦＦ状態にある。
【００３４】
スリープモードとは、主電源スイッチ１８１及び図示しない電源キーがＯＮ状態（電源が投入され切られていない状態）であって、無印刷動作状態（印刷処理が行われない状態）である。このスリープモードは、予め設定された一定時間なんらかの操作が無い場合、或いは予め設定された一定時間印刷ジョブが受信されない場合等に、自動的に遷移する省電力待機状態（電力削減状態）である。また、実施例１に係る画像形成装置１０においては、スリープモードには、予め設定された日時から一定時間（一定期間）、例えばオフィスにおける昼休みの１２時から１３時までの期間、意図的に遷移するスリープモードが含まれる。スリープモードは、各ユニットの大半に電力が供給されない状態であり、特に画像形成装置１０において電力消費が大きい、給紙トレイユニット１００、搬送ユニット３及びインク循環ユニット７を含む印刷エンジン１７０には電力が供給されない。
【００３５】
ローパワーモードとは、パネルユニット１３１の表示部の表示はＯＦＦ状態（例えば、液晶型表示部の場合にはバックライトがＯＦＦ状態）であり、電力消費が大きい印刷エンジン１７０等の動作を実行しない状態である。レディモードとは、画像形成装置１０の制御部６及び印刷エンジン１７０を含む大半のユニットに電力が供給された状態であって、即座に印刷ジョブに従って印刷動作が実行可能な状態である。
【００３６】
通信処理部１３０は、通信経路９に接続され、画像形成装置１０と外部端末８との間において情報の送信、受信を行う。実施例１に係る画像形成装置１０において、通信処理部１３０は、外部端末８１から送信される印刷ジョブを通信経路９を通して受信する。また、通信処理部１３０は、外部端末８において作成された画像情報、印刷ジョブ等の電子情報を記憶した可搬性記憶装置、例えばＵＳＢメモリ、ＩＣ（integrated circuits）カード、ＳＤ（secure digital）カード等の差込スロットを備え、これらの可搬性記憶装置から電子情報の読み出し書き込みを行える機能を備えてもよい。
【００３７】
パネルユニット１３１は、ユーザが直接画像形成装置１０を操作し、例えば印刷、複写等の印刷動作又はスキャナユニット１５１やファクシミリユニット１５２を利用した画像読み取り動作を行うための操作制御部である。パネルユニット１３１には、図示しないが、例えば動作状態等を表示する表示部、操作を行うタッチパネル、キー、ボタン等が組み込まれている。
【００３８】
記憶部１６には例えば大記憶容量を有するハードディスクが使用されている。記憶部１６には、実施例１において、通信処理部１３０を通して受信された印刷ジョブ、この印刷ジョブの印刷動作を管理する印刷ジョブリスト、画像形成装置１０の制御に必要なプログラム等が格納されている。実施例１に係る画像形成装置１０において、記憶部１６には、更にスリープモード後印刷手段６２を構築し、スリープモード前又はスリープモード中に印刷ジョブリストに溜まっている印刷ジョブの一部をスリープモード復帰後まで一時的に格納する印刷ジョブ格納手段（印刷ジョブ格納部）１６１が配設されている。この印刷ジョブ格納手段１６１は、記憶部１６の記憶領域の一部を割り当てて構成してもよいが、別の記憶装置として装備してもよい。別の記憶装置としては、ハードディスク、不揮発性メモリ（例えば、EEPROM：electronically erasable and programmable read only memory）等を実用的に使用することができる。
【００３９】
印刷エンジン１７０は、記録媒体を格納する給紙トレイユニット１００と、給紙トレイユニット１００から供給される記録媒体をプリントヘッド（２）に搬送する搬送ユニット３と、プリントヘッドに印刷用のインクを循環させるインク循環ユニット７とを少なくとも備えている。この印刷エンジン１７０の各ユニットの具体的な構成は後述する。
【００４０】
制御部６は、通信処理部１３０、パネルユニット１３１、記憶部１６、印刷エンジン１７０、スキャナユニット１５１、ファクシミリユニット１５２等の大半の各ユニットに接続され、これらの各ユニットの制御を司る。
【００４１】
更に、制御部６は、スリープモードに遷移する前に印刷ジョブリストに溜まっている印刷ジョブの情報に基づき、スリープモードから復帰した後に印刷動作を行うときにインク循環ユニット７の稼働を要しないか要するかを判定する判定手段（実施例１において、第１の判定手段又は第１の判定ユニット）６３を備えている。ここで、インク循環ユニット７の稼働を要しないとは、インク循環ユニット７の稼働、特に大きな消費電力を要する装置（ここでは、図５に示すインク循環ポンプ７５、インク温度調整部７６及び７７が少なくとも該当する。）の稼働を行わず、従って一定の印刷品質を保証する温度範囲内にインク温度を調整しなくても（インク温度を高めなくても）、良好な印刷品質を得ることができるという意味において使用されている。
【００４２】
実施例１において、判定手段６３のインク循環ユニット７の稼働を要しないとの判定は、印刷ジョブの印刷のときに低温ミストの発生がし難い又は低温ミストの発生が目立たないとの判定に等価である。また、インク循環ユニット７の稼働を要するとは、インク循環ユニット７の稼働、特に上記の大きな消費電力を要する装置の稼働を行い、従って一定の印刷品質を保証する温度範囲内にインク温度を調整し（インク温度を高め）、良好な印刷品質を得ることができるという意味において使用されている。実施例１において、判定手段６３のインク循環ユニット７の稼働を要するとの判定は、印刷ジョブの印刷のときに低温ミストの発生がし易い又は低温ミストの発生が目立つとの判定に等価である。
【００４３】
印刷品質が保証されるインク温度例えば２０度から２５度の範囲に満たない低いインク温度を有するインクの粘度は高くなり、インク温度が低すぎるとプリントヘッド（２）のインク吐出ノズルからインクを吐出させるには吐出電圧（圧電素子に印加する電圧）が高くなり、インクが霧状に飛散する。これが低温ミストである。この低温ミストが発生し難いかし易いかは印刷ジョブの画像情報に対応させて実験的に算出することができる。また、低温ミストの発生が目立たないか目立つかは、同様に、印刷ジョブの画像情報に対応させて実験的に算出することができる。
【００４４】
印刷ジョブには印刷頁数、印刷部数の情報が含まれており、この印刷頁数、印刷部数の情報から低温ミストの発生し難さ、し易さ、又は低温ミストの発生が目立たない、目立つを判定することができる。印刷頁数、印刷部数が少ない場合には、インクが霧状に飛散する確立が低く、低温ミストの発生がし難い傾向又低温ミストの発生が目立たない傾向を示し、判定手段６３はこのように判定する。一方、印刷ジョブの印刷頁数、印刷部数が多い場合には、インクが霧状に飛散する確立が高く、低温ミストの発生がし易い傾向又は低温ミストの発生が目立つ傾向を示し、判定手段６３はこのように判定する。
【００４５】
図２（Ａ）に示すように、記録媒体（１００Ｐ）に対するインク滴のドロップ数（吐出数）である画像率（単位面積当たりのドロップ数）が低い場合、低温ミストの発生がし難い。また、低温ミストの発生が目立たない。図２（Ｂ）に示すように、画像率が高い場合、低温ミストの発生がし易い。また、低温ミストの発生が目立つ。印刷ジョブに含まれる画像情報から画像率を算出することができ、閾値を任意に設定すれば、判定手段６３において低温ミストの発生し難さ、し易さ又は低温ミストの発生が目立たない、目立つを判定することができる。なお、インク吐出ノズルから吐出されるインク滴のドロップ数が１〜２の範囲内の極端に少ない場合には、インク滴が一定の体積にならずに逆に霧状に飛散し易い傾向を示し、このような場合には判定手段６３は低温ミストが発生し易い又は低温ミストの発生が目立つと判定する。
【００４６】
更に、記録媒体（１００Ｐ）の端部特にプリントヘッド２への搬送方向の先端部と後端部においては、図３（Ａ）に示すように、記録媒体の端部に画像が無い場合、低温ミストの発生がし難く又は低温ミストの発生が目立たない。逆に、図３（Ｂ）に示すように、記録媒体の端部に画像が有る場合、低温ミストの発生がし易い又は低温ミストの発生が目立つ。記録媒体の端部においては、吸引装置５の吸引力や記録媒体の搬送に伴い空気に流れが発生し、この空気の流れが低温ミストを誘発する。印刷ジョブに含まれる画像情報の該当個所において画像の有無から、判定手段６３において低温ミストの発生し難さ、し易さ又は低温ミストの発生が目立たない、目立つを判定することができる。
【００４７】
また、実施例１に係る画像形成装置１０は、記録媒体の中央部分の印字率は高くないが、記録媒体のプリントヘッド２への搬送方向の先端部或いは後端部の印字率が高い場合、低温ミストの発生がし易い又は低温ミストの発生が目立つ範疇に含む。逆に、画像形成装置１０は、記録媒体の中央部分の印字率は低くないが、記録媒体のプリントヘッド２への搬送方向の先端部或いは後端部の印字率が低い場合、低温ミストの発生がし難い又は低温ミストの発生が目立たない範疇に含む。
【００４８】
実施例１に係る判定手段６３は、印刷ジョブに含まれる、印刷頁数、印刷部数、画像率の情報、又は記録媒体の端部に印刷される画像の有無の情報のいずれか１つの情報を用いて低温ミストの発生のし難さ、し易さの判定を行う（低温ミストの発生が目立たない、目立つの判定についても以下同様。）。なお、判定手段６３においては、２以上の情報に基づき、低温ミストが発生し難いかし易いかを判定することができる。また、判定手段６３は、図１において、ハードウエア構成（回路構成）として図示しているが、制御部６或いは記憶部１６に格納されたソフトウエア（プログラム）とそれを実行する制御部６に内蔵される中央演算処理ユニットとを用いて構成してもよい。
【００４９】
実施例１に係る画像形成装置１０において、スリープモード前印刷手段６１は、判定手段６３と、判定手段６３において低温ミストの発生がし易い（又は低温ミストの発生が目立つ）と判定された印刷ジョブの印刷をスリープモードに遷移する前に行う印刷手段（第１の印刷手段）とを備えている。印刷手段は、印刷エンジン１７０の給紙トレイユニット１００と、搬送ユニット３と、インク循環ユニット７と、これらのユニットの制御を行う制御部６とにより構成されている。スリープモード前印刷手段６１において、インク循環ユニット７は、スリープモードに遷移する前までのインク温度を、インク温度調整部（７６、７７）を用いて低温ミストが発生しないような適温に維持する。つまり、スリープモード前印刷手段６１は、その動作モードはレディモードであり、図５に示すインク循環ユニット７の特にインク循環ポンプ（７５）、インク温度調整部７６若しくは７７を稼働し、インク循環を行うとともに、インク温度を適温に調整した状態において、低温ミストが発生し易い又は低温ミストの発生が目立つ印刷ジョブの印刷を行う。スリープモード前印刷手段６１には結果的に制御部６が含まれ、スリープモード前印刷手段６１の動作制御の大半は制御部６を用いて行われている。
【００５０】
スリープモード前印刷手段６１の基本動作は、スリープモードに遷移する前、具体的には後述する印刷動作の制御方法において説明するが、スリープモードに遷移する直前の遷移時間に到達したタイミングにおいて、印刷ジョブリストに溜まっている印刷ジョブのうち、低温ミストの発生がし易い又は低温ミストの発生が目立つと判定された印刷ジョブの印刷を行う。また、スリープモードの遷移時間に到達したタイミングを含みスリープモードに遷移するまでの間に印刷ジョブを受信した場合には、スリープモード前印刷手段６１は、受信された印刷ジョブのうち、低温ミストの発生がし易い又は低温ミストの発生が目立つと判定された印刷ジョブの印刷を行う。複数の印刷ジョブを連続して受信する場合も同様に、スリープモード前印刷手段６１は、低温ミストの発生がし易い又は低温ミストの発生が目立つと判定された印刷ジョブの印刷を行う。
【００５１】
ここで、複数の印刷ジョブを連続して受信するとは、例えば１つの印刷ジョブを受信してこの印刷ジョブの展開処理を行い印刷動作が実行可能になるまでの間に他の１つの印刷ジョブが受信されることを意味する。なお、複数の印刷ジョブが連続して受信され、スリープモードに遷移するまでの時間が長時間になる場合には、消費電力化を考慮に入れて、複数の印刷ジョブを連続して受信する時間を一定時間内に設定することができる。
【００５２】
スリープモード後印刷手段６２は、判定手段６３と、判定手段６３において低温ミストの発生がし難い（又は低温ミストの発生が目立たない）と判定された印刷ジョブを一時的に格納する印刷ジョブ格納手段１６１と、印刷ジョブ格納手段１６１に格納された印刷ジョブの印刷をスリープモードから復帰し後に行う印刷手段（第１の印刷手段）とを備えている。この印刷手段は、印刷エンジン１７０の給紙トレイユニット１００と、搬送ユニット３と、これらのユニットの制御を行う制御部６とにより構成されている。画像形成装置１０において、スリープモードはインク循環ユニット７の稼働を停止した状態にあり、インクの循環は行われず、インク温度の調整は行われない。従って、環境温度にもよるが、スリープモードにおいて、インク循環ユニット７のインク温度は時間経過に伴い低くなる。
【００５３】
スリープモード後印刷手段６２の基本動作は、スリープモードの復帰直後に図５に示すインク循環ユニット７の特にインク温度の調整に係るインク温度調整部７６若しくは７７の稼働を行わず、スリープモードの復帰直後のインク温度の状態のまま、低温ミストが発生し難い又は低温ミストの発生が目立たない印刷ジョブの印刷を行う。このとき、印刷ジョブの印刷を行うので、インク循環ユニット７のインク温度の調整に係るインク温度調整部７６若しくは７７の稼働は行われないが、インク循環に係るインク循環ポンプ（７５）等は稼働を行う。
【００５４】
また、スリープモード後印刷手段６２の基本動作において、スリープモードの復帰直後のインク温度が低過ぎる場合、若しくは適正なインク吐出量を確保し難しい場合には、プリントヘッド（２）内の図示しない圧電素子に通常のインク吐出を行う電圧よりも高い電圧を印加してプリントヘッドを駆動することができる。高い電圧駆動により、粘度の高いインクを吐出することで、インク低温時にインク吐出時には、ミストが発生し、記録媒体（印刷物）にミストの発生が目立ち易くなる。なお、基本動作の終了後には、インク循環ユニット７は通常の稼働を行い、インク温度が調整される。
【００５５】
スリープモード後印刷手段６２はスリープモード前印刷手段６１と同様に結果的に制御部６を含む。従って、スリープモード後印刷手段６２の動作制御の大半は制御部６を用いて行われている。
【００５６】
また、実施例１において、印刷ジョブ格納手段１６１に格納された印刷ジョブは、スリープモードから復帰した後、インク循環ユニット７が稼働しインク温度調整部（７６又は７７）を用いてインク温度が低温ミストの発生を誘発しない適温になるまでの間に印刷される。この場合には、原則として、スリープモード後印刷手段６２は、スリープモードの復帰直後のインク温度のまま、インク温調を行わずに印刷ジョブの印刷を行う。上記の通り、インク温度が低過ぎる場合若しくは適正なインク吐出量を確保し難しい場合には、プリントヘッドの圧電素子に高い電圧を印加した状態において、印刷ジョブの印刷が行われる。
【００５７】
これにより、通常の印刷ジョブの印刷において、インク低温時のインク吐出では、ミストが発生し易くなるか又は記録媒体にミストが目立ち易くなるが、ミストが発生し難い又はミストが目立ち難い印刷ジョブの印刷の場合には、ミストの影響をさほど受けない状態で、インクの温度を低温のままで印刷を開始することができる。
【００５８】
なお、スリープモード後印刷手段６２は、インク循環ユニット７が稼働しインク温度が適温になる所定時間経過後に、印刷ジョブ格納手段１６１に格納された印刷ジョブ（低温ミストが発生し難い又は低温ミストの発生が目立たない印刷ジョブ）を印刷する場合には、インク温度が適温になっているので、プリントヘッドの圧電素子に高い電圧を印加することもなく、印刷ジョブの印刷を行う。スリープモード復帰後から適温になるまでの所定時間はインク適温温度と現在のインク温度の上昇傾向とから算出し、この所定時間を越えているか否かが判断される。
【００５９】
更に、スリープモード後印刷手段６２は、インク温度が適温になる途中（所定時間に至らない場合又は所定時間を越えない場合）において印刷ジョブ格納手段１６１に格納された印刷ジョブの印刷を行ってもよい。この場合、スリープモードの復帰直後のインク温度のまま、又はプリントヘッドの圧電素子に高い電圧を印加した状態において、印刷ジョブの印刷が行われる。
【００６０】
また、スリープモード後印刷手段６２においては、インク温度が適温になるまでの時間に至らない場合、プリントヘッドの圧電素子に高い電圧を印加するのではなく、インク温度そのものを適正な温度に調整してから印刷ジョブの印刷を行うことができる。
【００６１】
実施例１に係る画像形成装置１０においては、特に印刷エンジン１７０の給紙トレイユニット１００、搬送ユニット３及びインク循環ユニット７のメカニカル動作を伴うユニットの稼働に伴い消費電力が増大する。従って、スリープモード機能を有する画像形成装置１０は、印刷動作や印刷ジョブの受信をしていないときに電源を供給せずに停止状態にある（スリープモードの状態にある）ので、電力消費を大幅に減少可能である。
【００６２】
なお、実施例１に係る画像形成装置１０において、スリープモード後印刷手段６２を構築する印刷ジョブ格納手段１６１は記憶部１６に配設されているが、この印刷ジョブ格納手段１６１を制御部６の内部に配設することができる。この場合、印刷ジョブ格納手段１６１は、制御部６に本来組み込まれている記憶部の一部を用いて（割り当てて）構成されるか、或いは専用の記憶部を新たに増設し構成される。
【００６３】
［画像形成装置の具体的構成：給紙トレイユニット及び搬送ユニットの構成］
図４に示すように、実施例１に係る画像形成装置１０は、印刷を行う記録媒体１００Ｐを供給し、この記録媒体１００Ｐに印刷を行い、この印刷された記録媒体１００Ｐを排出する搬送ユニット３を有する。搬送ユニット３は、給紙トレイユニット１００（１００Ａ−１００Ｅ）から供給される記録媒体１００Ｐを搬送経路に導く給紙ローラ３１と、記録媒体１００Ｐの位置合わせや斜行修正を行うレジストローラ３２と、搬送経路であって印字部に配設された搬送ベルト３７と、搬送経路中に配設された搬送ローラ３３と、切換機構３４と、スイッチバック機構３６等を備えている。ここで、記録媒体１００Ｐは用紙、封筒、フィルム、ディスク等のいずれかである。また、用紙には、薄紙、普通紙等のインク使用量が少ないものと、マット紙、高品位紙等のインク使用量が多いものとがいずれも含まれる。
【００６４】
給紙トレイユニット１００は、画像形成装置１０の符号を付けていない筐体の左側側面にこの筐体から外側に突出する着脱自在に配設された給紙台１００Ａと、筐体内部に配設された複数の給紙トレイ１００Ｂ−１００Ｅとを備えている。これらの給紙台１００Ａ−１００Ｅには印刷前の記録媒体１００Ｐが格納されている。また、画像形成装置１０の筐体の左側上部には排紙台１００Ｆが配設されている。排紙台１００Ｆには印刷後の記録媒体１００Ｐが排出される。
【００６５】
画像形成装置１０は、搬送経路中の印字部において、給紙トレイユニット１００から供給される記録媒体１００Ｐの搬送方向に対して直交する方向に多数のノズルが配列されたプリントヘッド２を複数備えている。それぞれのプリントヘッド２は、ブラックインク、シアンインク、マゼンダインク、イエローインクを吐出し、ライン単位において印刷動作を行う。実施例１に係る画像形成装置１０は、インクジェット方式を採用するカラーインクジェット型画像形成装置である。
【００６６】
なお、実施例１に係る画像形成装置１０は、ライン単位において印刷動作を行う方式だけに限定されるものではなく、ライン方向に走査して印刷動作を行うシリアル方式に適用してもよい。
【００６７】
［画像形成装置の印刷動作］
図４に示すインクジェット型画像形成装置１０の印刷動作は、前述の制御部６を用いて以下の通り実行される。まず最初に、給紙トレイユニット１００から供給された記録媒体１００Ｐは、図示しないモータによって駆動される給紙ローラ３１によって搬送経路に導かれ、レジストローラ３２に搬送される。レジストローラ３２は、搬送された記録媒体１００Ｐの供給方向先端の位置合わせ、斜行修正等を行う。記録媒体１００Ｐは、所定のタイミングにおいてプリントヘッド２が配列された印字部の方向に搬送される。
【００６８】
レジストローラ３２から搬送された記録媒体１００Ｐは搬送ベルト３７によってプラテンプレート４上に更に搬送される。プラテンプレート４上において、記録媒体１００Ｐは吸引装置５からの吸引力によって搬送ベルト３の表面上に吸引されながら搬送される。印字部に搬送された記録媒体１００Ｐにはプリントヘッド２から各色インクが吐出され、カラー印刷、モノクロ印刷又はグレースケール印刷が行われる。
【００６９】
印刷が完了した記録媒体１００Ｐは、搬送ローラ３３によって搬送され、片面印刷の場合にはそのまま排紙台１００Ｆに導かれて排紙される。また、両面印刷の場合には、片面印刷済みの記録媒体１００Ｐが切換機構１２２を通してスイッチバック機構３６に導かれ、この記録媒体１００Ｐは印刷面を反転させて再び印字部に搬送される。片面印刷の場合と同様に、記録媒体１００Ｐは再度印字部に搬送され、印刷を行った後に排紙台１００Ｆに排紙される。
【００７０】
［インク循環ユニットの具体的構成］
実施例１に係る画像形成装置１０のインク循環ユニット７は、図５に示すように、プリントヘッド２と、インクの貯溜を行う第１のタンク（上流タンク又は第１のインクタンク）７１及び第２のタンク（下流タンク又は第２のインクタンク）７２と、インク循環経路７００と、インクを貯溜し第２のタンク７２にインクを補充するインクボトル７３と、第２のタンク７２に接続された圧力調整器７４と、第２のタンク７２に貯溜されたインクを第１のタンク７１に循環させるインク循環ポンプ７５と、インク循環経路７０１に配設されたインク温度調整部（加熱装置）７６及びインク温度調整部（冷却装置）７７とを備えている。インク循環経路７００は、第１のタンク７１に貯溜されたインクをプリントヘッド２に供給するインク供給経路７０１、プリントヘッド２から回収されたインクを第２のタンク７２に回収させるインク回収経路７０２、第２のタンク７２に貯溜されたインクを第１のタンク７１に循環させるインク回収経路７０３のそれぞれが直列に接続されて構築されている。
【００７１】
第１のタンク７１には、第２のタンク７２に貯溜されたインク又はインクボトル７３から補充されたインクがインク回収経路７０３を通して循環され、この循環されたインクが貯溜される。インク回収経路７０３においてインクはインク循環ポンプ７５を用いて強制的に循環される。この第１のタンク７１には大気開放経路７１１が接続され、この大気開放経路７１１には制御部６によって開閉動作が制御される大気開放弁が配設されている。この大気開放弁の開閉動作に基づき、第１のタンク７１に貯溜され循環されるインクの圧力が調整される。第１のタンク７１はプリントヘッド２に供給されるインクの流量並びに圧力を一定に保持する機能を有している。第１のタンク７１はインク供給経路７０１の一端に接続されている。インク供給経路７０１の他端はインク分配器２１を通してプリントヘッド２に接続されている。
【００７２】
インク分配器２１は、第１のタンク７１からインク供給経路７０１を通して複数のプリントヘッド２のそれぞれに均等にインクを供給する機能を有する。インク分配器２１は、プリントヘッド２の直前に配設され、プリントヘッド２にインクを供給する点においてインク供給経路に属し、インク循環経路７００を構築する。
【００７３】
また、複数のプリントヘッド２のそれぞれはインク集配器２２を通してインク回収経路７０２の一端に接続され、このインク回収経路７０２の他端は第２のタンク７２に接続されている。インク集配器２２は、プリントヘッド２において使用されない余剰のインクを回収し、第２のタンク７２に循環する機能を有する。インク集配器２２は、プリントヘッド２の直後に配設され、プリントヘッド２からインクを回収する点においてインク回収経路に属し、インク循環経路７００を構築する。
【００７４】
実施例１において、印刷動作に使用される直前の最も正確なインク温度を測定するために、インク分配器２１には温度計（温度センサ）２１０が配設されている。温度計２１０を用いて測定されたインク温度は制御部６に送られる。また、プリント動作に使用される直後の最も正確なインク温度を測定するために、インク集配器２２には温度計（温度センサ）２２０が配設されている。温度計２２０を用いて測定されたインク温度は制御部６に送られる。
【００７５】
複数のプリントヘッド２のそれぞれのインク吐出ノズルが配列されたノズル面側には、ヘッドキャップ２３が配設されている。このヘッドキャップ２３はヘッドキャップ駆動部２４に接続されている。ヘッドキャップ２３は、必要に応じてプリントヘッド２のノズル面を塞ぎ、インクの吐き出しを停止させるとともに、インク循環経路７００内を経路外に対して閉じる機能を有する。ヘッドキャップ２３の動作は、制御部６からの制御信号に基づき、ヘッドキャップ駆動部２４によって実行される。
【００７６】
第２のタンク７２にはプリントヘッド２においてプリントに使用されなかった余剰のインクが回収され貯溜される。インク回収経路７０２の他端側には制御部６によって開閉動作が制御される開閉弁が配設されている。第２のタンク７２には、圧力調整経路７０７を通して、第２のタンク７２内の圧力を調整する圧力調整器７４が接続されている。圧力調整器７４は、必ずしもこの構成に限定されるものではないが、実施例１において、簡易な構成を有しかつ製作費用を減少することができる、伸縮動作に伴い加圧又は減圧を行うベローズ機構により構成されている。圧力調整器７４は、制御部６に接続され、この制御部６からの制御信号に基づき圧力調整を行う。この圧力調整器７４は、プリントヘッド２に適正な負圧を掛ける負圧調整器としての主機能を有する。また、圧力調整経路７０７には大気開放経路７０８が接続され、この大気開放経路７０８には制御部６によって開閉動作が制御される大気開放弁が配設されている。第２のタンク７２は、基本的に第１のタンク７１と同様に、循環されるインクの流量並びに圧力（ここでは負圧）を一定に保持する機能を有している。
【００７７】
第２のタンク７２にはインク補充経路７０６を通してインクボトル７３が接続されている。インク補充経路７０６には制御部６によって開閉動作が制御される補充量調整弁が配設されている。インクボトル７３は循環されるインク量が減少した場合にインクを補充する機能を有している。
【００７８】
インク温度調整部７６及び７７はインク循環経路７００に沿って配設されている。インク温度調整部７６及び７７は良好な印刷結果を得ることができるインク温度に調整する機能を有する。インク温度調整部７６には実施例１において熱電ヒータが使用されている。インク温度調整部７７は、熱交換によってインクの温度を下げる冷却フィンと熱気の吸引若しくは冷気の送風によってインク温度を下げる冷却ファンとを併用して構成されている。
【００７９】
ここで、図５に示すインク循環ユニット７は１色分である。実施例１に係る画像形成装置１０はカラーインクジェット型画像形成装置であるので、図示しないが同様のインク循環ユニット７は他に３つ組み込まれ、画像形成装置１０には合計４個のインク循環ユニット７が組み込まれている。
【００８０】
なお、プリントヘッド２には前述のように図示しない圧電素子が組み込まれ、制御部６からの駆動信号に基づき圧電素子に電圧が印加され、プリントヘッド２のインク吐出ノズルからインクを吐出すように構成されている。インク温度が低過ぎる場合等に圧電素子に印加する電圧の調整は制御部６からの制御信号に基づき行われる。
【００８１】
［インク循環ユニットのインク循環動作］
図５に示すインク循環ユニット７の全体のインク循環動作は以下の通りである。まず、第１のタンク７１に貯溜されたインクがインク供給経路７０１、インク分配器２１のそれぞれを通してプリントヘッド２に供給される。第１のタンク７１からインク供給経路７０１を通してプリントヘッド２に供給されるインクは、インク温度調整部７６又は７７を通して良好な印刷結果を得られる温度に調整される。
【００８２】
プリントヘッド２においては記録媒体１００Ｐに印刷を行うために供給されたインクが消費される。印刷に使用されなかった余剰のインクはインク集配器２２を通して回収され、この回収されたインクはインク回収経路７０２を通して第２のタンク７２に回収され貯溜される。第２のタンク７２に貯溜されたインクはインク回収経路７０３、インク循環ポンプ７５を通して第１のタンク７１に強制的に循環される。インク回収経路７０３を通して第１のタンク７１に循環され回収されたインクは、再度プリントヘッド２に供給するために貯溜される。
【００８３】
ここで、インク分配器２１に配設された温度計２１０又はインク集配器２２に配設された温度計２２０の少なくともいずれか一方を用いてインクの温度が測定される。インク温度が低く、良好な印刷結果を得ることができない場合には、制御部６はインク温度調整部７６を駆動し、循環されるインクが温められる。インク温度が高く、やはり良好な印刷結果を得ることができない場合には、制御部６はインク温度調整部７７を駆動し、循環されるインクが冷却される。
【００８４】
また、インク循環ユニット７において、第１のタンク７１内に貯溜されたインク量、第２のタンク７２に貯溜されたインク量は符号を省略した液面検出センサを用いて管理されている。印刷動作が継続して実行され、インクが消費されることによって第１のタンク７１又は第２のタンク７２に貯溜されたインク量が減少し規定値に満たない場合には、制御部６は補充量調整弁を開き、インクボトル７３からインク補充経路７０６を通して第２のタンク７２にインクの補充が行われる。
【００８５】
［画像形成装置の印刷動作の制御方法］
次に、実施例１に係る画像形成装置１０において印刷動作の制御方法は以下の通りである。
【００８６】
図６に示すように、まず、実施例１に係る画像形成装置１０において、スリープモードの遷移時間に到達する（Ｓ１）と、記憶部１６に格納された印刷ジョブリストに印刷ジョブが存在するか否かを確認する（Ｓ２）。印刷ジョブリストに印刷ジョブがない場合にはスリープモードに遷移する（Ｓ５）。
【００８７】
ここで、印刷ジョブリストには、図７に示すように、例えばジョブ番号、ユーザ名、画像情報、印刷頁数、印刷部数等の情報を含む印刷ジョブが格納される。更に、ここでは、印刷ジョブの情報に、画像率の情報及び端部に画像が存在するか否かの情報が含まれる。なお、画像率の情報は、低温ミストが発生し難いかし易い又は低温ミストの発生が目立たないか目立つかを判定手段６３において判定するときに、画像情報の容量と印刷範囲の情報とを用いてから算出してもよい。また、端部に画像が存在するか否かの情報は、同様に、低温ミストが発生し難いかし易い又は低温ミストの発生が目立たないか目立つかを判定手段６３において判定するときに、画像情報から判定してもよい。
【００８８】
図７に例示する印刷ジョブ１においては、文字主体の画像情報であり容量が小さく、印刷頁数２枚及び印刷部数１部と印刷量が少ないので、画像率は低く、又端部に画像が存在しない。印刷ジョブ２においては、図形や写真主体の画像情報であり容量が大きく、印刷頁数１００枚及び印刷部数２部と印刷量が多いので、画像率は高く、又端部に画像が存在する。印刷ジョブ３においては、文字主体の画像情報であり容量が小さく、印刷頁数１枚及び印刷部数１部と印刷量が少ないので、画像率は低く、又端部に画像が存在しない。
【００８９】
印刷ジョブリストに印刷ジョブの存在が確認されると、判定手段６３によって、印刷ジョブを印刷するときに低温ミストが発生し難い印刷ジョブか、低温ミストが発生し易い印刷ジョブかが判定される（Ｓ３）。また、判定手段６３は、印刷ジョブを印刷したときに低温ミストの発生が目立たない印刷ジョブか、低温ミストの発生が目立つ印刷ジョブかを判定してもよい。実施例１において、判定手段６３は、いずれの判定であってもよく、双方を組み合わせて総合的に判定してもよい。図７に示す印刷ジョブ２は低温ミストの発生がし易い（又は低温ミストの発生が目立つ）と判定され、これらの印刷ジョブ２は、スリープモード前印刷手段６１を用いて、スリープモードに遷移する前に印刷が実行される（Ｓ４）。スリープモードに遷移する前の画像形成装置１０の動作状態は例えばレディモードであり、インク循環ユニット７が稼働状態か稼働後の状態にあって、インク温度が適正な状態にある。従って、インク循環ユニット７を改めて稼働し、インク温度を低温から適正な温度まで高める必要が無く、即座に印刷ジョブ２の印刷を実行することができる。また、印刷ジョブ２の印刷動作に際して、印刷ジョブ２の容量が大きく、印刷が完了するまでに多少の時間を要し、インク温度が低下し、適正なインク温度から逸脱する場合には、インク循環ユニット７を稼働し（又は稼働を継続し）、インク温度の調整が行われる。
【００９０】
一方、図７に示す印刷ジョブ１及び３は低温ミストの発生がし難い（又は低温ミストの発生が目立たない）と判定され、この印刷ジョブ２は、スリープモード後印刷手段６２の印刷ジョブ格納手段１６１に一時的に格納される（Ｓ６）。印刷ジョブ２の印刷が実行され、印刷ジョブ１及び３が格納された後、画像形成装置１０はスリープモードに遷移する（Ｓ２５）。
【００９１】
画像形成装置１０のユーザによる操作、画像形成装置１０において新たな印刷ジョブの受信、又は一定時間経過後、画像形成装置１０はスリープモードから復帰する（Ｓ７）。ここで、インク循環ユニット７のプリントヘッド２の近傍に配設された温度計２１０、２２０（図５参照。）を用いてインク温度が測定され（Ｓ８）、インク循環ユニット７に循環されるインク温度が印刷品質を保証する適正な温度範囲内であるか否かが判定される（Ｓ９）。
【００９２】
適正な温度範囲内である場合、スリープモード後印刷手段６２の印刷ジョブ格納手段１６１に一時的に格納された印刷ジョブがあるか否かが判定される（Ｓ１０）。ここでは、印刷ジョブ格納手段１６１に一時的に印刷ジョブ１及び３が格納されているので、この印刷ジョブ１及び３の印刷が実行される（Ｓ１１）。印刷ジョブ１及び３は、低温ミストが発生し難い（又は低温ミストの発生が目立たない）印刷ジョブであるが、インク温度が適正な範囲内にあるので、勿論、低温ミストを発生することなく（又は低温ミストの発生が目立たない状態において）印刷を行える。しかも、スリープモードから復帰した直後であって、インク循環ユニット７を稼働することがなく、印刷動作を実行することができる。印刷が完了した後、画像形成装置１０は印刷待機状態（例えば、スタンバイモード、ローパワーモード又はレディモード）への移行を行う（Ｓ１２）。また、ステップＳ１０において、印刷ジョブ格納手段１６１に印刷ジョブが格納されていない場合には、画像形成装置１０は印刷待機状態への移行を行う（Ｓ１２）。
【００９３】
ステップＳ９において、適正な温度範囲外の場合（具体的には低い場合）、適正な温度範囲内の場合と同様にまずスリープモード後印刷手段６２の印刷ジョブ格納手段１６１に一時的に格納された印刷ジョブがあるか否かが判定される（Ｓ１３）。ここでは、印刷ジョブ格納手段１６１に一時的に印刷ジョブ１及び３が格納されているので、この印刷ジョブ１及び３の印刷が実行される（Ｓ１４）。印刷ジョブ１及び３は、低温ミストが発生し難い印刷ジョブであり、インク温度が適正な範囲外であっても低温ミストを発生することなく印刷を行える。しかも、スリープモードから復帰した直後であって、インク循環ユニット７の特にインク温度の調整に係るインク温度調整部７６及び７７を稼働することがなく、印刷動作を実行することができる。なお、前述のように、スリープモードにおいては、インク循環ユニット７が稼働していない状態であり、インク温度の調整はなされず、通常、インク温度は環境温度に影響受けて低くなる。スリープモードの復帰直後のインク温度が低過ぎる場合、若しくは適正なインク吐出量を確保し難しい場合には、プリントヘッド２内の図示しない圧電素子に通常のインク吐出を行う電圧よりも高い電圧を印加してプリントヘッドを駆動し、印刷ジョブ１及び３の印刷が実行される。
【００９４】
印刷が完了した後、又はスリープモードから復帰した直後のステップＳ９以降において、インク循環ユニット７の稼働が開始され（Ｓ１５）、インク温度の調整が行われる。インク温度の調整が行われ、適正なインク温度に調整されると、画像形成装置１０は印刷待機状態への移行を行う（Ｓ１２）。また、ステップＳ１３において、印刷ジョブ格納手段１６１に印刷ジョブが格納されていない場合には、インク循環ユニット７を稼働した後（Ｓ１５）、画像形成装置１０は印刷待機状態への移行を行う（Ｓ１２）。
【００９５】
なお、インク循環ユニット７の稼働において、インク温度が低い場合には、インク循環ポンプ７５を稼働しインクを循環し、インク温度調整部７６を稼働し循環されるインクを加熱し、インク温度が高められる。インク温度が高い場合には、インク循環ポンプ７５を稼働しインクを循環し、インク温度調整部７７を稼働し循環されるインクを冷却し、インク温度が下げられる。また、実施例１に係る画像形成装置１０において、低温ミストが発生し難い印刷ジョブを早急に印刷する必要がある場合には、ユーザの画像形成装置１０の直接操作により、或いは印刷ジョブに含まれる早急に印刷する旨の情報により、スリープモードに遷移する前に印刷を行うことができる。
【００９６】
［実施例１の特徴］
以上説明したように、実施例１に係る画像形成装置１０においては、インク循環ユニット７の稼働を要する印刷ジョブにおいてはスリープモード前印刷手段６１を用いてスリープモードに遷移する前に印刷を行い、インク循環ユニット７の稼働を要しない印刷ジョブにおいてはスリープモード後印刷手段を用いてスリープモードの復帰後に印刷を行うことができる。従って、スリープモードの復帰後において、インク制循ユニット７を稼働してインクの温度調整をすることなく、かつインクの温度調整に要する時間を経過することなくスリープモードに遷移する前に格納された印刷ジョブの印刷を行えるので、この印刷ジョブの印刷においてはインク循環ユニット７の稼働に要する消費電力を低減することができ、かつ印刷時間を短縮することができる。
【００９７】
また、実施例１に係る画像形成装置１０においては、低温ミストが発生し易い（又は低温ミストの発生が目立つ）印刷ジョブをスリープモード前印刷手段６１を用いてスリープモードに遷移する前に印刷を行い、低温ミストが発生し難い（又は低温ミストの発生が目立たない）印刷ジョブをスリープモード後印刷手段６２を用いてスリープモードの復帰後に印刷を行うことができる。従って、低温ミストが発生し易い印刷ジョブにおいては、スリープモードに遷移する前のインク循環ユニット７が稼働中であって低温ミストが発生し難いインク適温状態において印刷を終えることができる。一方、低温ミストが発生し難い印刷ジョブにおいては、ミストの影響をさほど受けない状態で、インクの温度を低温のままで印刷を開始することができる。このため、インク循環ユニット７を稼働してインクの温度調整を行うことなく、かつインクの温度調整に要する時間を経過することなくスリープモードに復帰後に印刷を行うことができるので、この印刷ジョブの印刷においてはインク循環ユニット７の特にインク温度の調整に係る装置の稼働に要する消費電力を低減することができ、かつ印刷時間を短縮することができる。
【００９８】
更に、実施例１に係る画像形成装置１０によれば、判定手段６３において印刷ジョブに含まれる情報に基づき低温ミストが発生し難いかし易いかを判定することができ、この判定結果に基づき消費電力を低減しつつ、印刷時間を短縮することができる。
【００９９】
（実施例２）
本発明の実施例２は、前述の実施例１に係る画像形成装置１０において、印刷ジョブのインク使用量に応じてスリープモードに遷移する前かスリープモードから復帰した後かに印刷ジョブの印刷を実行する例を説明するものである。
【０１００】
［画像形成装置並びにそのインク循環ユニットの構成］
実施例２に係る画像形成装置１０は、基本的には前述の図１に示す実施例１に係る画像形成装置１０と同様の構成を有し、印刷ジョブの情報に基づきスリープモード復帰直後にインク循環ユニット７（以下、実施例２において「第１のインク循環ユニット７」として説明する。）の稼働を要しないとき、スリープモードに遷移する前に印刷ジョブの印刷を行うスリープモード前印刷手段６１と、印刷ジョブの情報に基づきスリープモード復帰直後に第１のインク循環ユニット７の稼働を要するとき、印刷ジョブを格納し、スリープモードから復帰した後に印刷ジョブ格納手段１６１に一時的に格納された印刷ジョブの印刷を行うスリープモード後印刷手段６２とを備える。
【０１０１】
実施例２に係る画像形成装置１０において、スリープモード前印刷手段６１は、低温ミストが発生し難いかし易いか又は低温ミストの発生が目立たないか目立つかの判定に代えて印刷ジョブの印刷のときのインク使用量が少ないか多いかを判定する判定手段（実施例２において、第２の判定手段又は第２の判定ユニット）６３と、判定手段６３においてインク使用量が多いと判定された印刷ジョブの印刷をスリープモードに遷移する前に行う印刷手段と、この印刷手段において印刷に使用されるインクを循環する第１のインク循環ユニット７とを備えている（図１参照。）。実施例２において、判定手段６３の第１のインク循環ユニット７の稼働を要するとの判定は、印刷ジョブの印刷のときにインク使用量が多いとの判定に等価である。
【０１０２】
スリープモード後印刷手段６２は、判定手段６３と、判定手段６３においてインク使用量が少ないと判定された印刷ジョブを格納する印刷ジョブ格納手段１６１と、印刷ジョブ格納手段１６１に格納された印刷ジョブの印刷をスリープモードから復帰した後に行う印刷手段とを備えている。実施例２において、判定手段６３の第１のインク循環ユニット７の稼働を要しないとの判定は、印刷ジョブの印刷のときにインク使用量が少ないとの判定に等価である。
【０１０３】
印刷エンジン１７０の第１のインク循環ユニット７は、基本的には前述の図５に示す実施例１に係るインク循環ユニット７と同様であるが、実施例２においては、図８に示すように、インク循環迂回経路７２０を備えている。このインク循環迂回経路７２０はインク循環経路７００のインクの回収側であるインク回収経路７０２から供給側であるインク供給経路７０１に連結されている。このインク循環迂回経路７２０は、第１のタンク７１及び第２のタンク７２のいずれも通さずに、インク温度調整部７６及び７７を通している。つまり、インク循環迂回経路７２０は、インク循環経路７００においてプリントヘッド２のインク回収側とインク供給側とを直結し、プリントヘッド２との間において直接インクの循環を行い、インク循環経路７００の経路長のショートカットを行う第２のインク循環ユニットを構築する。
【０１０４】
この実施例２に係る画像形成装置１０の第２のインク循環ユニットは、第１のインク循環ユニット７のインク循環経路７００を循環するインク量に比べて絶対量が少ない、プリントヘッド２及びインク循環迂回経路７２０を循環するインク量の範疇において、スリープモードから復帰した直後の、印刷ジョブ格納手段１６１に一時的に格納されたインク使用量が少ない印刷ジョブの印刷に使用される。
【０１０５】
前述の実施例１に係る画像形成装置１０において説明したように、印刷ジョブには印刷頁数、印刷部数の情報が含まれており、この印刷頁数、印刷部数の情報からインク使用量が少ないか多いかを判定することができる。印刷頁数、印刷部数が少ない場合には当然のことながらインク使用量は少ない。判定手段６３はこのように判定する。印刷ジョブの印刷頁数、印刷部数が多い場合にはインク使用量が多く、判定手段６３はこのように判定する。
【０１０６】
実施例２においては、印刷ジョブに含まれる画像率、記録媒体１００Ｐの用紙種類も、同様に、インク使用量が少ないか多いかの判定に使用することができる。用紙種類とは、薄紙、普通紙、マット紙、高品位紙等であり、前者の薄紙、普通紙はインク使用量が少ないと判定し、後者のマット紙、高品位紙はインク使用量が多いと判定する。
【０１０７】
実施例２に係る判定手段６３は、印刷ジョブに含まれる、印刷頁数、印刷部数、画像率の情報、又は用紙種類の情報のいずれか１つの情報を用いてインク使用量が少ないか多いかの判定を行う。なお、判定手段６３においては、２以上の情報に基づき、インク使用量が少ないか多いかを判定することができる。
【０１０８】
［画像形成装置の印刷動作の制御方法］
次に、実施例２に係る画像形成装置１０において印刷動作の制御方法は以下の通りである。
【０１０９】
図９に示すように、まず、実施例２に係る画像形成装置１０において、スリープモードの遷移時間に到達する（Ｓ２１）と、記憶部１６に格納された印刷ジョブリストに印刷ジョブが存在するか否かを確認する（Ｓ２２）。印刷ジョブリストに印刷ジョブがない場合にはスリープモードに遷移する（Ｓ２５）。
【０１１０】
ここで、印刷ジョブリストは、前述の実施例１に係る図７に例示する印刷ジョブリストと同様に、例えばジョブ番号、ユーザ名、画像情報、印刷頁数、印刷部数等の情報を含む印刷ジョブが格納される。更に、ここでは、印刷ジョブの情報に、画像率の情報及び用紙種類の情報が含まれる。なお、用紙種類の情報は、ユーザが印刷ジョブを作成するときに印刷ジョブに情報の１つとして追加するか、画像形成装置１０の操作パネルをユーザが直接操作して印刷ジョブに手動において追加するか、又は画像形成装置１０において給紙トレイの記録媒体の用紙種類を用紙種類検出センサを用いて自動的に取得し印刷ジョブに追加するか、いずれかの方法を用いて印刷ジョブに追加してもよい。
【０１１１】
ここでは、前述の図７に示す例と同様に、印刷ジョブ１及び３はインク使用量が少ない印刷ジョブとして、印刷ジョブ２はインク使用量が多い印刷ジョブとして説明する。
【０１１２】
印刷ジョブリストに印刷ジョブの存在が確認されると、判定手段６３によって、印刷ジョブを印刷するときにインク使用量が少ない印刷ジョブか、インク使用量が多い印刷ジョブかが判定される（Ｓ２３）。印刷ジョブ２はインク使用量が多いと判定され、この印刷ジョブ２は、スリープモード前印刷手段６１を用いて、スリープモードに遷移する前に印刷が実行される（Ｓ２４）。スリープモードに遷移する前の画像形成装置１０の動作状態は例えばレディモードであり、第１のインク循環ユニット７が稼働状態か稼働後の状態にあって、インク温度が適正な状態にある。従って、インク循環ユニット７を改めて稼働し、インク温度を低温から適正な温度まで高める必要が無く、即座に印刷ジョブ２の印刷を実行することができる。また、印刷ジョブ２の印刷動作に際して、印刷ジョブ２の容量が大きく、印刷が完了するまでに多少の時間を要し、インク温度が低下し、適正なインク温度から逸脱する場合には、第１のインク循環ユニット７を稼働し（又は稼働を継続し）、インク温度の調整が行われる。
【０１１３】
一方、印刷ジョブ１及び３はインク使用量が少ないと判定され、この印刷ジョブ２は、スリープモード後印刷手段６２の印刷ジョブ格納手段１６１に一時的に格納される（Ｓ２６）。印刷ジョブ２の印刷が実行され、印刷ジョブ１及び３が格納された後、画像形成装置１０はスリープモードに遷移する（Ｓ２５）。
【０１１４】
画像形成装置１０のユーザによる操作、画像形成装置１０において新たな印刷ジョブの受信、又は一定時間経過後、画像形成装置１０はスリープモードから復帰する（Ｓ２７）。ここで、第１のインク循環ユニット７のプリントヘッド２の近傍に配設された温度計２１０、２２０（図８参照。）を用いてインク温度が測定され（Ｓ２８）、インク循環ユニット７に循環されるインク温度が印刷品質を保証する適正な温度範囲内であるか否かが判定される（Ｓ２９）。
【０１１５】
適正な温度範囲内である場合には、スリープモード後印刷手段６２の印刷ジョブ格納手段１６１に一時的に格納された印刷ジョブがあるか否かが判定される（Ｓ３０）。ここでは、印刷ジョブ格納手段１６１に一時的に印刷ジョブ１及び３が格納されているので、この印刷ジョブ１及び３の印刷が実行される（Ｓ３１）。印刷ジョブ１及び３はインク使用量が少ない印刷ジョブである。インク温度が適正な範囲内にあるので、スリープモードから復帰した直後であっても、第１のインク循環ユニット７を稼働することがなく、即座に印刷ジョブ１及び３の印刷動作を実行することができる。印刷が完了した後、画像形成装置１０は印刷待機状態（例えば、スタンバイモード、ローパワーモード又はレディモード）への移行を行う（Ｓ３２）。また、ステップＳ３０において、印刷ジョブ格納手段１６１に印刷ジョブが格納されていない場合には、画像形成装置１０は印刷待機状態への移行を行う（Ｓ３２）。
【０１１６】
ステップＳ２９において、適正な温度範囲外の場合（具体的には低い場合）、適正な温度範囲内の場合と同様にまずスリープモード後印刷手段６２の印刷ジョブ格納手段１６１に一時的に格納された印刷ジョブがあるか否かが判定される（Ｓ３３）。ここで、印刷ジョブ格納手段１６１に一時的に印刷ジョブ１及び３が格納されていると判定されると、第１のインク循環ユニット７の全体を稼働しインク循環経路７００の全体のインク温度を調整するのではなく、前述の第２のインク循環ユニットを稼働し、インク循環迂回経路７２０及びプリントヘッド２を循環するインク温度が調整される（Ｓ３４）。
【０１１７】
図８に示す、第２のインク循環ユニットを構築するインク温度調整部７６を稼働することによって、ここではインク供給経路７０１内のインク温度が調整され（インク温度が高められ）、インク供給経路７０１、プリントヘッド２、インク回収経路７０２、インク循環迂回経路７２０のショートカットされた経路内の少量のインクが自然対流により循環され、インク温度が調整される。つまり、第２のインク循環ユニットに循環されるインク温度が調整される。プリントヘッド２に循環されるインク温度は温度計２１０、２２０によって測定されているので、適正なインク温度に達した段階において、印刷ジョブ格納手段１６１に一時的に格納された印刷ジョブ１及び３の印刷が実行される（Ｓ３５）。
【０１１８】
印刷ジョブ１及び３は、インク使用量が少ない印刷ジョブであり、スリープモードから復帰した直後のインク温度が適正な範囲外であっても、スリープモードから復帰した直後に第２のインク循環ユニットを稼働することによって印刷動作を実行することができる。第２のインク循環ユニット、ここでは第２のインク循環ユニットのインク温度の調整に係るインク温度調整部７６を稼働することによってインク循環迂回経路７２０及びプリントヘッド２に循環するインク温度の調整を行うことができる。従って、第２のインク循環ユニットの稼働に要する消費電力を減少することができ、又印刷開始までの時間を短縮することができる。第２のインク循環ユニットにおいては、インク温度の調整ではなくインク循環に係るインク循環ポンプ７５等は稼働しない。なお、印刷ジョブ１及び３の印刷は、インク温度が低過ぎる場合等には、プリントヘッド２の圧電素子に高い電圧を印加し、インクを吐出して行ってもよい。
【０１１９】
印刷ジョブ１及び３の印刷が完了した後、又はスリープモードから復帰した直後のステップＳ２９以降において、第１のインク循環ユニット７の全体の稼働が開始され（Ｓ３６）、インク循環経路７００の全体のインク温度の調整が行われる。インク温度の調整が行われ、適正なインク温度に調整されると、画像形成装置１０は印刷待機状態への移行を行う（Ｓ３２）。また、ステップＳ３３において、印刷ジョブ格納手段１６１に印刷ジョブが格納されていない場合には、第１のインク循環ユニット７を稼働した後（Ｓ３６）、画像形成装置１０は印刷待機状態への移行を行う（Ｓ３２）。
【０１２０】
なお、第１のインク循環ユニット７の稼働において、インク温度が低い場合には、インク循環ポンプ７５を稼働しインクを循環し、インク温度調整部７６を稼働し循環されるインクを加熱し、インク温度が高められる。インク温度が高い場合には、インク循環ポンプ７５を稼働しインクを循環し、インク温度調整部７７を稼働し循環されるインクを冷却し、インク温度が下げられる。また、実施例２に係る画像形成装置１０において、インク使用量が少ない印刷ジョブを早急に印刷する必要がある場合には、ユーザの画像形成装置１０の直接操作により、或いは印刷ジョブに含まれる早急に印刷する旨の情報により、スリープモードに遷移する前に印刷を行うことができる。
【０１２１】
また、印刷ジョブ格納手段１６１に一時的に格納された印刷ジョブはスリープモードから復帰後に第２のインク循環ユニットに循環されるインクのすべてを用いて原則的に印刷されるが、インク量が不足した場合には、第１のインク循環ユニット７からインクを補充することができる。そして、印刷ジョブ格納手段１６１に一時的に格納された印刷ジョブの印刷が終了した後、第１のインク循環ユニット７の稼働が行われる。
【０１２２】
［実施例２の特徴］
以上説明したように、実施例２に係る画像形成装置１０においては、インク使用量が多い印刷ジョブはスリープモード前印刷手段６１を用いスリープモードに遷移する前の適正なインク温度範囲内において印刷を行い、インク使用量が少ない印刷ジョブは、スリープモード後印刷手段６２を用いて印刷ジョブ格納手段１６１に一時的に格納し、スリープモードから復帰し第２のインク循環ユニットを稼働した後に印刷を行える。従って、インク使用量が少ない印刷ジョブは、第２のインク循環ユニットに循環されるインクの温度調整を行うだけで、かつ短時間のインクの温度調整によって印刷を行えるので、インクの温度調整に要する消費電力を低減することができ、かつ印刷時間を短縮することができる。
【０１２３】
更に、実施例２に係る画像形成装置１０によれば、判定手段６３において印刷ジョブに含まれる情報に基づきインク使用量が少ないか多いかを判定することができ、この判定結果に基づき消費電力を低減しつつ、印刷時間を短縮することができる。
【０１２４】
（実施例３）
本発明の実施例３は、前述の実施例２に係る画像形成装置１０の応用例であり、スリープモードから復帰した後に、印刷ジョブのインク使用量に応じてインク温度の調整方法を選別する例を説明するものである。
【０１２５】
［画像形成装置の構成］
実施例３に係る画像形成装置１０は、基本的には前述の実施例２に係る画像形成装置１０と同様の構成を有するが、更に加えて、図１０に示すように、制御部６に記録媒体種類判定手段６４と、インク温調選別手段６５とを備えている。
【０１２６】
記録媒体種類判定手段６４は記録媒体１００Ｐの用紙種類を判定する機能を有する。前述の実施例２に係る画像形成装置１０において説明したように、記録媒体１００Ｐには、インク使用量が少ない薄紙、普通紙と、インク使用量が多いマット紙、高品質紙とが少なくとも一般的に多用されている。ここではその詳細な図示は省略するが、給紙トレイ及びそれからプリントヘッド２に至るまでの搬送経路（図４参照。）に配設された光センサと、この光センサから出力される光の記録媒体１００Ｐの表面において反射光を受光する受光センサとを備え、この受光センサの出力に基づき記録媒体種類判定手段６４は用紙種類を判定する。例えば、記録媒体種類判定手段６４は、反射光量が少ない場合には薄紙、普通紙と判定し、反射光量か多い場合にはマット紙、高品質紙と判定する。
【０１２７】
なお、用紙種類は外部端末８においてユーザが印刷ジョブを生成するときに決定してもよい。また、用紙種類は画像形成装置１０の操作パネルからユーザが直接決定してもよい。
【０１２８】
インク温調選別手段６５は、記録媒体種類判定手段６５の出力結果に基づき、インク温度の温調方法を選別する機能を有する。実施例３に係る画像形成装置１０において、インク温調選別手段６５は、前述の図８に示すインク循環ユニット７のプリントヘッド２内に配設されたインク吐出のための図示しない圧電素子を用いたインク温調方法、インク循環ユニット７を通常稼働させてインク温度調整部７６を用いたインク温調方法のいずれかを選別し、インク温度の調整を行う。圧電素子を用いたインク温調方法は、インク使用量が少ない印刷ジョブの印刷動作（薄紙等の印刷動作）に使用される。インク温度調整部７６を用いたインク温調方法は、インク使用量が多い印刷ジョブの印刷動作（マット紙等の印刷動作）に使用される。
【０１２９】
［画像形成装置のインク温調方法］
次に、実施例３に係る画像形成装置１０においてインク温調方法は以下の通りである。
【０１３０】
図１１に示すように、まず、実施例３に係る画像形成装置１０がスリープモードから復帰し、又は画像形成装置１０の電源が投入され（Ｓ４１）、画像形成装置１０はレディモードに遷移する。図示しない印刷ジョブリストにある印刷ジョブの印刷に際してこの印刷に使用される記録媒体１００Ｐの用紙種類が記録媒体種類判定手段６４を用いて判定される（Ｓ４２）。
【０１３１】
記録媒体種類判定手段６４において、記録媒体１００Ｐがインク使用量の多いマット紙、高品質紙であると判定された場合には、インク循環ユニット７がインク温調選別手段６５によって選別され、このインク循環ユニット７を用いてインク温調が行われる（Ｓ４３）。ここで、インク循環ユニット７が選別されると、前述の図８に示すインク温度調整部７６、インク循環ポンプ７５等が稼働され、インク循環経路７００に循環される全体のインク温度が調整される。引き続き、インク温度が良好な印刷品質を保証する適切な温度範囲内であるか否か判定され（Ｓ４５）、インク温度が適切な温度範囲内であれば、印刷ジョブの印刷が実行される（Ｓ４６）。インク温度が適切な温度範囲内にない場合には、適切な温度範囲内になるまでインク温調が行われる。
【０１３２】
一方、記録媒体種類判定手段６４において、記録媒体１００Ｐがインク使用量の少ない薄紙、普通紙であると判定された場合には、インク循環ユニット７の一部ここではプリントヘッド２内の図示しない圧電素子がインク温調選別手段６５によって選別され、この圧電素子の稼働によってインク温調が行われる（Ｓ４３）。このインク温調方法は、プリントヘッド２内（インク室内）のインクに対してインク吐出が生じない程度の電圧を圧電素子に印加し、圧電素子を振動させてその発熱によってインク温度を高める方法である。インク温度が良好な印刷品質を保証する適切な温度範囲内であるか否か判定され（Ｓ４５）、インク温度が適切な温度範囲内であれば、印刷ジョブの印刷が実行される（Ｓ４６）。インク温度が適切な温度範囲内にない場合には、適切な温度範囲内になるまでインク温調が行われる。なお、インク温度は前述の図８に示す温度計２１０、２２０を用いて測定される。
【０１３３】
［実施例３の特徴］
以上説明したように、実施例３に係る画像形成装置１０においては、記録媒体１００Ｐの用紙種類に応じてインク温調方法を選別することができる。インク使用量が少ない用紙種類を用いる印刷ジョブの印刷には、インク循環ユニット７の全体を稼働させるインク温調方法ではなく、一部のプリントヘッド２内の圧電素子に電圧を与え振動させるインク温調方法が使用されるので、消費電力を減少しつつ、プリントヘッド２内の一部のインクの温調を行いインク循環経路７００に循環される全体のインクの温調を行わないので、インク温調に要する時間が短く印刷開始時間を短縮することができる。また、インク使用量が多い用紙種類を用いる印刷ジョブの印刷には、インク循環ユニット７そのものを稼働させるインク温調方法が使用されるので、良好な印刷品質を保証することができる適正な温度範囲内のインクを十分に確保することができる。
【０１３４】
なお、実施例３に係る画像形成装置１０は、前述の実施例２に係る画像形成装置１０においてスリープモードに遷移する前に一時的に格納されインク使用量が少ない印刷ジョブに対してインク温調方法を選別するようにしてもよい。この場合、インク温調選別手段６５は、インク循環ユニット７の全体の稼働によるインク温調方法、インク循環ユニット７の一部のプリントヘッド２の圧電素子の稼働によるインク温調方法、インク循環ユニット７の一部の前述の図８に示すインク循環迂回経路７２０及びインク温調部７６、７７を用いたインク温調方法のいずれかを選別する。
【０１３５】
（実施例４）
本発明の実施例４は、前述の実施例１乃至実施例３に係る画像形成装置１０において、記録媒体１００Ｐのサイズ、種類が変更されたときの表示方法並びにサイズ、種類の設定方法を説明するものである。
【０１３６】
画像形成装置１０において、給紙トレイの記録媒体１００Ｐのサイズ、用紙種類を変更した場合、パネルユニットの操作画面をユーザが操作し、給紙トレイの変更後の記録媒体１００Ｐのサイズ、用紙種類を設定する必要がある。画像形成装置１０がレディモード、スタンバイモード、ローパワーモード等の稼働中であれば、変更後の設定が可能である。電源ＯＦＦ状態又はスリープモード状態において給紙トレイの記録媒体１００Ｐのサイズ、用紙種類を変更した場合、操作画面が表示されないので、変更後の設定を行うことができない。このような場合、電源投入後又はスリープモードからの復帰後に印刷動作を行うと、記録媒体１００Ｐのサイズ、用紙種類が印刷ジョブの意図したサイズ、用紙種類に適合せず、ユーザが意図した印刷画像のサイズや印刷画質を得ることができない。実施例４に係る画像形成装置１０はこのような課題を解決することができる。
【０１３７】
［画像形成装置の構成］
実施例４に係る画像形成装置１０は、図１１に示すように、制御部６に記録媒体設定変更判定手段６６を備えている。この記録媒体設定変更判定手段６６は、記録媒体残量検知手段６６１と、記録媒体サイズ検知手段６６２と、記録媒体種類検知手段６６３とを備えている。
【０１３８】
記録媒体残量検知手段６６１は、給紙トレイに配設されたセンサからの出力に基づき記録媒体１００Ｐの残量（残り枚数）を検知する。記録媒体サイズ検知手段６６２は、給紙トレイに配設されたセンサからの出力に基づき、記録媒体１００Ｐのサイズ例えばＡ４版サイズ、Ｂ４版サイズ等のサイズを検知する。記録媒体種類検知手段６６３は、給紙トレイに配設されたセンサ、例えば前述の光センサからの反射光を受光する受光センサからの出力に基づき、記録媒体１００Ｐの用紙種類例えば薄紙、普通紙、マット紙、高品質紙等の用紙種類を検知する。記録媒体設定変更判定手段６６は、記録媒体残量検知手段６６１、記録媒体サイズ検知手段６６２、記録媒体種類検知手段６６３の少なくとも１つの変更情報から、電源ＯＦＦ状態又はスリープモード状態のときに記録媒体１００Ｐに変更があったか否かを判定する。
【０１３９】
記録媒体設定変更判定手段６６において変更があったと判定された場合には、記録媒体設定変更判定手段６６は、電源を投入した後又はスリープモードから復帰した後にパネルユニット１３１の操作画面に変更があった旨の表示を行う。
【０１４０】
［画像形成装置における記録媒体の変更表示方法及び設定変更方法］
次に、実施例４に係る画像形成装置１０において、記録媒体１００Ｐの変更表示方法及び設定変更方法は以下の通りである。
【０１４１】
図１３に示すように、まず、実施例４に係る画像形成装置１０がスリープモードから復帰する、又は電源が投入される（Ｓ５１）。記録媒体設定変更判定手段６６は、記録媒体残量検知手段６６１、記録媒体サイズ検知手段６６２、記録媒体種類検知手段６６３の少なくともいずれかの出力結果に基づき、スリープモード状態又は電源ＯＦＦ状態において給紙トレイの記録媒体１００Ｐにサイズの変更、用紙種類の変更があったか否かを判定する（Ｓ５２）。変更がない場合には、画像形成装置１０はレディモードに遷移する（Ｓ５３）。
【０１４２】
変更があった場合には、記録媒体設定変更判定手段６６はパネルユニット１３１の操作画面に設定画面を表示させる（Ｓ５４）。ここでは、図１４（Ａ）に示す記録媒体１００Ｐのサイズの変更を設定することができる設定画面と、図１４（Ｂ）に示す記録媒体１００Ｐの用紙種類の変更を設定することができる設定画面とが表示される。記録媒体１００Ｐのサイズ、用紙種類は操作画面上に表示されているボタンにユーザがタッチすることによって変更可能である。記録媒体１００Ｐのサイズを変更すると印刷された画像サイズが変化する。また、記録媒体１００Ｐの用紙種類を変更するとカラープロファイルが変化する。
【０１４３】
操作画面に表示された設定画面においてユーザが設定変更を行う（Ｓ５５）。設定変更後、設定画面を閉じると、画像形成装置１０はレディモードに遷移する（Ｓ５３）。
【０１４４】
［実施例４の特徴］
以上説明したように、実施例４に係る画像形成装置１０においては、電源ＯＦＦ状態又はスリープモード状態に記録媒体１００Ｐのサイズや用紙種類が変更された場合でも電源投入後又はスリープモード復帰後に設定変更画面を表示することができるので、ユーザが意図した記録媒体１００Ｐのサイズや用紙種類を設定し、印刷を実行することができる。従って、ユーザの意図した印刷画像サイズや印刷品質を得ることができる。
【０１４５】
また、電源投入後又はスリープモード復帰後に設定変更画面を表示することができるので、メニュー画面を経由して設定変更画面を表示する必要がなく、簡易に設定変更を行うことができる。
【０１４６】
（その他の実施例）
上記のように、本発明を実施例１乃至実施例４によって記載したが、この開示の一部をなす論述及び図面はこの発明を限定するものでない。本発明は様々な代替実施の形態、実施例及び運用技術に適用することができる。
【産業上の利用可能性】
【０１４７】
本発明は、消費電力を減少しつつ、印刷開始時間を短縮することができる画像形成装置に広く適用可能である。
【符号の説明】
【０１４８】
１…画像形成システム、２…プリントヘッド、３…搬送ユニット、６…制御部、６１…スリープモード前印刷手段、６２…スリープモード後印刷手段、６３…判定手段、６４…記録媒体種類判定手段、６５…インク温調選別手段、６６…記録媒体設定変更判定手段、６６１…記録媒体残量検知手段、６６２…記録媒体サイズ検知手段、６６３…記録媒体種類検知手段、７…インク循環ユニット、７１…第１のタンク、７２…第２のタンク、７３…インクボトル、７４…圧力調整器、７５…インク循環ポンプ、７６、７７…インク温度調整部、７２０…インク循環迂回経路、８、８１〜８３…外部端末、９…通信経路、１０…画像形成装置、１００…給紙トレイユニット、１３０…通信処理部、１３１…パネルユニット、１５１…スキャナユニット、１５２…ファクシミリユニット、１６…記憶部、１６１…印刷ジョブ格納手段、１７０…印刷エンジン。
【図１】
0005723637.tif 000002
【図２】
0005723637.tif 000003
【図３】
0005723637.tif 000004
【図４】
0005723637.tif 000005
【図５】
0005723637.tif 000006
【図６】
0005723637.tif 000007
【図７】
0005723637.tif 000008
【図８】
0005723637.tif 000009
【図９】
0005723637.tif 000010
【図１０】
0005723637.tif 000011
【図１１】
0005723637.tif 000012
【図１２】
0005723637.tif 000013
【図１３】
0005723637.tif 000014
【図１４】
0005723637.tif 000015